(57)【特許請求の範囲】
【請求項１】
紙幣（Ｂ）の大きさよりも小さく紙幣を吸着するための開口（Ｍ）を有する吸引手段と、前記吸引手段に取り付けられ、前記開口（Ｍ）の前に起立状態に順次並べて収納した紙幣を吸引する吸引流を発生するための排気手段と、前記吸引手段の開口（Ｍ）を縦断して配設された可逆走行可能な搬送ベルト（38）により前記吸引された紙幣を吸着に抗して上方へ送り出すための送り出し手段と、前記送り出し手段によって上方へ送り出された紙幣（Ｂ）の先端部を挟んで、紙幣を強制的に引き出す一対のローラと、前記搬送ベルト（38）が紙幣の送り出し時、送り出し方向に走行して吸着紙幣を送り出し、当該吸着紙幣の先端部が前記一対のローラに挟まれた後、引き出されて行く前記紙幣（Ｂ）の後端部が前記開口（Ｍ）の後端を過ぎ外れたことを検知するセンサと、を備え、
前記センサの検知信号に基づいて前記搬送ベルト（38）を逆方向に走行して、連れ送り出された紙幣の誤送を防止することを特徴とする紙幣の払い出し装置。
【発明の詳細な説明】
【０００１】
【発明の属する技術分野】
本発明は流通貨幣である紙幣の払い出し装置に関する。
とくに本発明は紙の通貨である紙幣を確実に払い出すための払い出し装置に関する。
本発明は具体的には切符販売機などを含む自動販売機や両替機など紙幣が使用される分野に好適な紙幣の払い出し装置に関する。
なお本発明における「紙幣」の概念には通貨の紙幣は勿論のこと折り曲げ自在な紙あるいは合成樹脂などからなるシート体を含むことは勿論である。
また本発明における「紙幣」の概念には撓み自在なテレフォンカードや定期券カードなど小形のカード体も含むことは勿論である。
【０００２】
【従来の技術】
従来の紙幣払い出し装置としては例えば本件出願人による特願平８−１８８００６がある。
このシート体払い出し装置は図６に示されるようにシート体を吸着するための開口２２を下方にもつ角筒形の吸引手段２１を備えている。
そして該吸引手段の上には排気手段２６を備え当該吸引手段の内部には前記吸着されたシート体を送り出すための送り出し手段２７を備えている。
【発明が解決しようとする課題】
しかしながら上述した払い出し装置は特にシート体である紙幣を送り出すときには確実性に欠けるという問題点があった。
【０００３】
流通している多くの紙幣は中央で折り曲げられているため送り出し手段が小形タイアであると接触が不十分になるという問題点があった。
すなわち中央で折り曲げられた紙幣の場合には送り出し手段のタイアが空回りして紙幣の送り出しが確実に行われないという問題点があった。
本発明は紙幣を確実に然も一枚一枚スピーディに払い出すことができる装置を目的に開発されたものである。
また本発明は装置の小形化と構造の簡略化とを図りながら紙幣を確実に送り出すための払い出し装置を目的に開発されたものである。
【課題を解決するための手段】
【０００４】
本発明は、紙幣の大きさよりも小さく紙幣を吸着するための開口を有する吸引手段と、前記吸引手段に取り付けられ、前記開口の前に起立状態に順次並べて収納した紙幣を吸引する吸引流を発生するための排気手段と、前記吸引手段の開口を縦断して配設された可逆走行可能な搬送ベルトにより前記吸引された紙幣を吸着に抗して上方へ送り出すための送り出し手段と、前記送り出し手段によって上方へ送り出された紙幣の先端部を挟んで、紙幣を強制的に引き出す一対のローラと、前記搬送ベルトが紙幣の送り出し時、送り出し方向に走行して吸着紙幣を送り出し、当該吸着紙幣の先端部が前記一対のローラに挟まれた後、引き出されて行く前記紙幣の後端部が前記開口の後端を過ぎ外れたことを検知するセンサと、を備え、前記センサの検知信号に基づいて前記搬送ベルトを逆方向に走行して、連れ送り出された紙幣の誤送を防止することを特徴とする紙幣の払い出し装置としたものである。
【発明の実施の形態】
以下に本発明を其の実施について添付の図面を参照しつつ説明する。
【０００５】
図１は本発明による一実施例の要部を概略的に示す斜面図である。
図２は図１の主要部を取り出して示す斜面図である。
図３は図１を正面から見た立面図である。
図４は図１の側面図である。図５は図１の頂面図である。
なお図１は本発明による一実施例を使用状態の姿勢で示している。
図１の中央上に示される大きなＴ形の横板はベース板１１である。
ベース板１１の中央端部１２には半筒形に湾曲されたカバー板１３が垂下して固定されている。
そしてカバー板１３の下端内部にはやや小さな台形の底板１４が固定されている。
【０００６】
したがってベース板１１下面の中央近くには矩形の取り付け部１５が垂下して形成されることになる。
また中央端部１２の両サイドにはそれぞれ矩形のサイド部１６ならびに１７が垂下して形成されることになる。
この結果、中央端部１２ならびに対のサイド部１６と１７および底板１４によって大きな開口Ｍが形成されている。
縦長の取り付け部１５の上下には二個のやや大きな貫通孔２１ならびに２２が開口されている。
そして此等の貫通孔２１ならびに２２の外側にはそれぞれ小形のファン装置２３ならびに２４が取り付け部１５を介在して固定されている。
【０００７】
図１の中央縦長に示される大きな略Ｌ形体のものはフレーム体３１である。
図２には当該フレーム体３１が取り外されて示されている。
当該フレーム体３１の上端部はやや大きな板部が直角に屈曲されている。
この屈曲板部の一方である矩形の取り付け部３２を介在して当該フレーム体３１はベース板１１に固定されている。
そして他方の矩形になる取り付け部３３には小形の電気モータ２５が固定されている。
なお電気モータ２５の回転軸には大きなリング状のベルト３８を駆動するためのプリー２６が外填めされている。
またプリー２６は歯付きプリーでありベルト３８裏の歯部と噛み合っている。
【０００８】
また電気モータ２５は正回転ならびに逆回転が可能なステップ・モータである。
フレーム体３１の下端部は細長く形成されてエンドレスなベルト３８のガイド部３４になっている。
この細長いガイド部３４の各端部ならびに中央部にはそれぞれ固定用の小さなスペイサ３５が取り付けられている。
これら三個のスペイサ３５を介在してガイド部３１と同様な細長いガイド片３６が該ガイド部３１に取り付けられている。
そして一対になるガイド部３１とガイド片３６との間には四個の小さなローラ３７が回転自在に配設されている。
【０００９】
これらのローラ３７はエンドレスなベルト３８をガイドするためのものであり各スペイサ３５の近くに適宜に配設されている。
なおガイド部３４ならびにガイド片３６は中央端部１２ならびに底板１４の外縁中央にそれぞれ形成されている細長孔に挿入自在になっている。
したがってフレーム体３１は取り付け部３２を介在してベース板１１に固定されているため当該ベース板１１に対して取り外し自在になる。
【実施例】
上述の構成からなる本実施例は例えば千円札の紙幣Ｂが縦長に起立されて開口Ｍの前に多数順次に並べられる（図４ならびに図５を参照）。
なお多数の紙幣Ｂの束は開口Ｍに対して軽く押圧されている。
【００１０】
かくしてファン装置２３と２４が駆動されると排気が行われる。
この結果、開口Ｍに負圧が生じ紙幣Ｂ束の外側の一枚目が当該開口Ｍに吸着される。と同時に電気モータ２５が正回転される。
細いゴム製のベルト３８は図の実線矢印の方向に走行することになる。
かくしてゴム製ベルト３８の面摩擦によって開口Ｍに吸着されている紙幣Ｂ束の外側の一枚目が上方向に送り出されることになる。
上方向に送り出される一枚目の紙幣Ｂは其の上端部が一対のローラ（図示略）間に挟まれる。
この結果、一枚目の紙幣Ｂは鎖線矢印の方向に強制的に引き上げられる。
引き上げられた一枚目の紙幣Ｂの下端が開口Ｍの下方を通過する。
【００１１】
このとき此の通過がセンサ（図示略）によって検出され前記の電気モータ２５は逆回転される。
この結果、上方向に送られた一枚目の紙幣Ｂは確実に鎖線矢印の方向に送り出される。
そして二枚目の紙幣Ｂはベルト３８の逆走行によって上方向への連れ動きによる誤送が防止されることになる。
なおエンドレスなベルト３８は天然ゴム製は勿論のこと合成ゴム製であっても良いことは勿論である。
また本実施例においてはベルト３８が一本であるがベルト３８を二本にし近接して配置しても良いことは勿論である。
【００１２】
また本実施例ではベルト３８を細長い形状にしたが幅を広くして多数の通気孔を形成したベルトであっても良いことは勿論である。
またベルト３８の替わりにゴム製チェーンのようなキャタピラ式にしても良いことは勿論である。
またガイド部３４に複数個のスペイサ３５を取り付けたが複数個のローラ３７のみでも良いことは勿論である。
この場合、たとえばローラ３７はガイド部３４に固定された細軸に回転自在に外填めされ且つ抜け止めにされて保持される。
この結果、ガイド片３６は不要になり然もベルト３８の装着が極めて簡単になる。
【００１３】
また本実施例では二個のファン装置２３と２４を使用したが一個のファン装置でも良いことは勿論である。
またベース板１１からフレーム体３１を簡単に取り外せるためベルト３８の交換などが極めて容易になることは勿論である。
加えてベース板１１に必要な部品が総て固定されているためベース板１１を縦にしても斜めにしても本装置を使用できることは勿論である。
言い換えると本装置の開口Ｍを上に向けても或いは下に向けても斜めにしても使用できることは勿論である。
【発明の効果】
【００１４】
以上のようになる本発明は簡単な構成の組み合わせによって大きな効果が得られることになる。
すなわち本発明によると小形ファンとゴム製ベルトと電気モータとの組み合わせによって小形で簡単な構造の紙幣払い出し装置を提供できる。
しかも本発明によると紙幣一枚一枚を確実かつ高速で払い出すことができるという大きな利点が得られる。
【図面の簡単な説明】
【図１】図１は本発明による一実施例の要部を概略的に示す斜視図である。
【図２】図２は図１の主要部を取り出して示す斜面図である。
【図３】図３は図１を正面から見た立面図である。
【図４】図４は図１の側面図である。
【図５】図５は図１の頂面図である。
【図６】図６は従来例を示す正面図である。
【符号の説明】
Ｂ：紙幣、
Ｍ：開口、
吸引手段・・・・・１１：ベース板、１２：中央端部、１３：カバー板、１４：底板、１５：取り付け部、１６：サイド部、１７：サイド部、
排気手段・・・・・１３：カバー板、１５：取り付け部、２１：貫通孔、２２：貫通孔、２３：ファン装置、２４：ファン装置、
送り出し手段・・・２５：電気モータ、２６：プリー、３１：フレーム体、３２：取り付け部、３３：取り付け部、３５：スペイサ、３４：ガイド部、３６：ガイド片、３７：ローラ、３８：ベルト。
【図１】
0004065907.tif 000002
【図２】
0004065907.tif 000003
【図３】
0004065907.tif 000004
【図４】
0004065907.tif 000005
【図５】
0004065907.tif 000006
【図６】
0004065907.tif 000007